(57)【特許請求の範囲】
【請求項１】
果実類の切断面が押し当てられて、左右に回転させることで果汁を絞る果汁絞り器であり、果汁受け皿内に凹凸面を有するドーム状の絞り部と、前記絞り部の中央頂部に鋭利に突出形成した突起部と、絞り出された果肉及び果汁を受ける受け皿とで構成され、前記突起部が回転することを特徴とする果汁絞り器。
【発明の詳細な説明】
【技術分野】
【０００１】
本発明は、果実類の切断面を押圧して果汁を絞り出すための、果汁絞り器に関するものである。
【背景技術】
【０００２】
従来から、果実類の切断面を、凹凸部を有するドーム型の絞り器に押圧して、果実類を左右に回転させることで、果汁を絞り出す機能を備えた果汁絞り器が知られている。
【０００３】
従来の果汁絞り器を用いて果汁を絞る場合、一方の手で果汁絞り器をテーブルの上で動かないように固定し、もう一方の手で果実類を下方向に押圧しながら、なおかつ左右に回転させて果汁を絞り出すというものだった。
【０００４】
さらに片方の手にかかる負担を軽減させるために、果実絞り器自体を回転させ、果実類を押圧した方の手は加圧するだけで回転させずにすむ果汁絞り器があった。（例えば、特許文献１参照）  
【先行技術文献】
【特許文献】
【０００５】
【特許文献１】特開２００６−８１５６７号公報
【発明の概要】
【発明が解決しようとする課題】
【０００６】
絞り器がなだらかなドーム状で引っかかりがないため、果実類の切断面を絞り器に押圧した際に、果実のじょうのう膜と絞り器が接する部分が滑りやすく、果実類が絞り器から脱落したり、せっかく絞った果汁を飛び散らかすこともあった。
【０００７】
また、果実類を押圧する際には、片方の手で果汁絞り器をテーブル等の上に動かないように固定し、もう片方の手で果実類を真上から真下に向かって垂直に力を加えつつ、左右に回転させるという複雑で、しかも労力のいる力の入れ方が必要だった。
【０００８】
さらに、果汁を絞った際に、果実類に含まれる種や果肉なども受け皿に落ちてしまい、別な容器に果汁を移す際に、種や果肉も一緒に流れ出てしまうため、それらを取り出すのが極めて手間のかかる作業だった。  
【０００９】
本発明は、上記の従来の問題を解決するためになされたものであり、子供や、女性、高齢者など、握力や腕力が弱い人でも、楽に負担を軽減しながら果汁を絞れ、また果汁のみを取り出すことを容易にできるようにした果汁絞り器を提供することを目的とする。
【課題を解決するための手段】
【００１０】
すなわち、請求項１に記載の本発明は、果実類の切断面が押し当てられて左右に回転させることで果汁を絞る果汁絞り器であり、果汁受け皿内に凹凸面を有するドーム状の絞り部と、前記絞り部の頂点付近に鋭利に突出形成した突起部と、絞り出された果肉及び果汁を受ける受け皿とで構成されることを特徴としている。
【００１１】
また、請求項２に記載の本発明は、前記突起部が回転する請求項１に記載の果汁絞器であることを特徴としている。
【００１２】
また、請求項３に記載の本発明は、前記受け皿の注ぎ口部に網部を設けたことを特徴としている。  
【発明の効果】
【００１３】
この突起付果汁絞り器を使うと、切断した果実類の中心部分が鋭利に形成された突起部に食い込んで仮固定されるため安定して、押圧した際に果実類が滑って絞り部から脱落するのを解消する。また、前記突起部が回転中心になって果実類が回転するため、果実類を押圧する力が多方向に分散されず、慣れない人でも簡単に、軽い力で果汁絞りを行うことができる。
【００１４】
さらに、この突起付果汁絞り器を使うと、スピーディーに一気に果汁を絞り出すことができるため、果汁と一緒に種や皮、また果肉も受け皿に流れ落ちるが、受け皿の注ぎ口部に網部がついているため、別な容器に移す際に網部に濾される形となり、果汁のみを取り出すことが可能である。
【図面の簡単な説明】
【００１５】
【図１】本発明の実施形態に係る果汁絞り器の外観斜視図である。
【図２】同、果汁絞り器の縦断面図である。
【図３】本実施形態の変形例に係る果汁絞り器の縦断面図である。
【図４】本実施形態に係る果汁絞り器の使用態様を示す斜視図である。
【発明を実施するための形態】
【００１６】
以下、図１〜図４に基づいて本発明の実施形態に係る果汁絞り器を説明する。図１は本実施形態の果汁絞り器１０の外観を示し、図２は同果汁絞り器１０の内部構造を示し、図３は本実施形態の変形例に係る果汁絞り器１０Ａの内部構造を示し、図４は本実施形態に係る果汁絞り器１０の使用形態を示す。
【００１７】
図１及び図２に示すように、本実施形態の果汁絞り器１０は、果汁受け皿１に、果実類の切断面が押し当てられて回転する時に果汁が絞り出る凹凸面を有するドーム状の絞り部２を備え、本体の主要部が構造されている。
【００１８】
また、上記絞り部２の中央頂部に、突起部３を設ける。この突起部３は、突起部３の先が鋭利に形成され、果実類に突き刺さる構造で配置されている。図３に示すように、本実施形態と変形例に係る果汁絞り器１０Ａとでは、突起部の形状が異なる。図２又は図３に示すように、突起部の先端は、突起部３のように一つであっても、突起部８のように複数であっても適用可能である。
【００１９】
上記突起部３、突起部８は、上記絞り部２に固定されているものもあるが、別に固定ではなく、突起部３、突起部８が絞り器２から独立して回転する構造を有するものもある。この場合においては、果実類に突き刺さった突起部が果実類が左右に回転する際に一緒に回転するために回転抵抗が減ると共に、果実類をよりスムーズに回転させやすくすることができるようになる。そのため、安定感のある果汁絞りをスピーディーに行うことが可能である。
【００２０】
また、本発明の果汁絞り器では、片方の手で果実類を左右に回転させるが、特別多大な力を加えなくても、果実類と手の重量だけで、簡単に上記突起部３、突起部８が果実類の中心に回転しながら食い込んでいく構造であるため、押圧する力は微力でも、果汁を絞ることが可能である。
【００２１】
また、上記突起部３、突起部８が果実類の中心に回転しながら食い込んでいくことで、回転中心がぶれることがなく、最終的に突起部が果実類の皮に突き当たって仮固定するので、果実類が上記絞り部２から脱落する心配は少ない。そのため、腕力や握力が弱い人、果汁絞りに慣れていない人でも、安心して、楽な力で果汁を絞ることができる。
【００２２】
また、図４に示すように、前記受け皿１に設けた注ぎ口５には、網部６を有しており、絞った果汁を別容器７に注ぐ際に、網部６により種や皮、果実を濾す役割を果たし、果汁のみを流し入れることができるため、後で種や皮、果実のかす等の面倒な取り出しを、手指や他の器具等を使ってする必要がない。そのため衛生的で、かつ余計な手間をかけずに果汁のみを抽出することができる。
【００２３】
以上本実施形態では、果汁絞りを対象にしているが、本発明のような突起付きの絞り器は、果実類の他、茹でたイモ類や、根菜等の野菜類や、加工食品等にも適用することができる。
【符号の説明】
【００２４】
１  果汁受け皿
２  絞り器
３  持ち手
４  突起部
５  注ぎ口
６  網部
７  別容器
８  突起部
１０、１０Ａ  果汁絞り器
【図１】
0005970628.tif 000002
【図２】
0005970628.tif 000003
【図３】
0005970628.tif 000004
【図４】
0005970628.tif 000005